(57)【要約】【課題】各棚の間口の拡張を図り、物品の収納効率の向上を実現させた低温ショーケースを提供することを目的とする。【解決手段】本発明の低温ショーケース１は、前面に開口する断熱箱体３内に貯蔵室８を構成し、該貯蔵室８内に複数段の棚３５を架設して成るものであって、貯蔵室８の側面を構成する断熱箱体３の内壁３Ａ前端部に上下に渡って形成され、外方に逃げる逃げ部３Ｂと、該逃げ部３Ｂを覆うように内壁３Ａ前端部に取り付けられ、棚３５を保持するための棚受け部材２３が係合する係合孔２２Ｂが上下に渡って複数形成された前棚支柱２２とを備え、該前棚支柱２２にて覆われた逃げ部３Ｂ内に、棚受け部材２３が進入可能な空間Ｓを構成した。【選択図】      図４
2005024114.tif 000002
【特許請求の範囲】
【請求項１】
前面に開口する断熱箱体内に貯蔵室を構成し、該貯蔵室内に複数段の棚を架設して成る低温ショーケースにおいて、
前記貯蔵室の側面を構成する前記断熱箱体の内壁前端部に上下に渡って形成され、外方に逃げる逃げ部と、
該逃げ部を覆うように前記内壁前端部に取り付けられ、前記棚を保持するための棚受け部材が係合する係合孔が上下に渡って複数形成された棚支柱とを備え、
該棚支柱にて覆われた前記逃げ部内に、前記棚受け部材が進入可能な空間を構成したことを特徴とする低温ショーケース。
【請求項２】
前記逃げ部と前記棚支柱との間に構成された空間に、電気配線、及び／又は、前記貯蔵室内を冷却するための冷却装置の冷媒配管を収容したことを特徴とする請求項１の低温ショーケース。
【請求項３】
前記貯蔵室下方の前記断熱箱体外に前記貯蔵室内を冷却するための冷却装置が設置された機械室を備え、該機械室と前記空間とを連通させたことを特徴とする請求項１又は請求項２の低温ショーケース。
【請求項４】
前記断熱箱体の前面開口には、前記貯蔵室の開口を開閉自在に閉塞する扉を備え、
前記棚支柱の前部を前記扉外面側まで延在させると共に、前記空間を前記扉外面側に連通させたことを特徴とする請求項３の低温ショーケース。
【発明の詳細な説明】
【０００１】
【発明の属する技術分野】
本発明は、前面に開口する断熱箱体内に構成された貯蔵室内に、複数段の棚を架設して成る低温ショーケースに関するものである。
【０００２】
【従来の技術】
従来この種ショーケースは、断熱箱体内に構成された貯蔵室の四隅部に上下方向の棚支柱を立設し、これら棚支柱にワイヤーなどの線条で構成された棚を上下に複数段架設している（特許文献１参照。）。即ち、該特許文献１では、断熱箱体の側面を構成する内壁前部に、上下に延出した前支柱が設けられ、断熱箱体の背面を構成する背壁隅部、及び、背面中央部（当該文献では貯蔵室内は左右それぞれに上下に渡って棚が架設されている。）に、上下に延出した後支柱及び後中央支柱が設けられている。
【０００３】
前支柱の側面には係合孔が上下に所定間隔を存して複数穿設され、この係合孔に棚受け部材が着脱自在に係合保持されている。また、後支柱の前面には丸孔状の係合孔が上下に所定間隔を存して複数穿設されており、後中央支柱は上下長尺の鋼板を４カ所折曲することにより左右両側面と前面が形成され、この左右両側面と前面間にそれぞれ渡って長孔状の係合孔が上下に所定間隔を存して複数穿設されている。これにより、複数のワイヤを溶接して矩形状に形成された棚を架設可能としている。
【０００４】
【特許文献１】
特許第２９９４８６１号公報
【０００５】
【発明が解決しようとする課題】
しかしながら、従来の前支柱は、上述した如く断熱箱体の側面を構成する内壁前部に内方に突出するかたちで設けられているため、少なくとも棚受け部材を取り付ける分だけ貯蔵室側に前支柱が張り出してしまい、各棚の収納間口が狭くなる問題がある。そのため、物品の納出入等の作業が棚の両側で制限されることとなり、物品の収納効率が低下する問題がある。
【０００６】
そこで、本発明は従来の技術的課題を解決するために成されたものであり、各棚の間口の拡張を図り、物品の収納効率の向上を実現させた低温ショーケースを提供することを目的とする。
【０００７】
【課題を解決するための手段】
本発明の低温ショーケースは、前面に開口する断熱箱体内に貯蔵室を構成し、該貯蔵室内に複数段の棚を架設して成るものであって、貯蔵室の側面を構成する断熱箱体の内壁前端部に上下に渡って形成され、外方に逃げる逃げ部と、該逃げ部を覆うように内壁前端部に取り付けられ、棚を保持するための棚受け部材が係合する係合孔が上下に渡って複数形成された棚支柱とを備え、該棚支柱にて覆われた逃げ部内に、棚受け部材が進入可能な空間を構成したので、貯蔵室側に棚支柱を突出させることなく、棚受け部材を棚支柱の係合孔に係合させることができるようになる。
【０００８】
これにより、従来の如き各棚の両側に突出した棚支柱により棚の収納間口が制限させる不都合を回避することができるようになり、物品の収納効率の向上及び納出入作業性の向上を図ることができるようになる。特に、低温ショーケースが、商品の陳列を目的とするものである場合、商品の陳列効果の向上を図ることができるようになる。
【０００９】
請求項２の発明の低温ショーケースは、上記発明において、逃げ部と棚支柱との間に構成された空間に、電気配線、及び／又は、貯蔵室内を冷却するための冷却装置の冷媒配管を収容したので、電気配線及び冷媒配管を確実に保護することができるようになる。また、これら電気配線や冷媒配管等が逃げ部と棚支柱間との空間に収容されることにより、これらが貯蔵室内に剥き出しとなる不都合を回避することができ、貯蔵室内の美観の向上を図ることができるようになる。
【００１０】
請求項３の発明の低温ショーケースは、上記各発明において、貯蔵室下方の断熱箱体外に貯蔵室内を冷却するための冷却装置が設置された機械室を備え、該機械室と空間とを連通させたので、機械室内から排出される排熱を逃げ部と棚支柱間との空間に供給することが可能となり、棚支柱の結露の発生を抑制することができるようになる。
【００１１】
請求項４の発明の低温ショーケースは、上記各発明において、断熱箱体の前面開口には、貯蔵室の開口を開閉自在に閉塞する扉を備え、棚支柱の前部を扉外面側まで延在させると共に、空間を扉外面側に連通させたので、機械室内から排出される排熱を逃げ部と棚支柱間との空間を介して扉外面側に供給することが可能となり、棚支柱及び扉外面側の結露の発生を抑制することができるようになる。
【００１２】
【発明の実施の形態】
次に、図面に基づき本発明の実施形態を詳述する。図１は本発明の冷蔵ショーケース１の斜視図、図２はショーケース１の縦断側面図、図３はショーケース１の分解斜視図、図４はショーケース１の左部分拡大平断面図、図５はショーケース１の右部分拡大平断面図をそれぞれ示している。ショーケース１は前面に開口を有する断熱箱体３と、前面開口を開閉自在に閉塞する引き戸式ガラス扉７、７とによって囲繞された貯蔵室８と、この貯蔵室８の上方に形成された冷却室１１と断熱箱体３下方に形成された機械室１３とから構成されている。
【００１３】
冷却室１１は、前部に図示しない冷気吐出口、後部に図示しない冷気吸込口を形成した冷却室仕切板９によって貯蔵室８と区画して形成され、該冷却室１１内には、冷却器１２及び冷気吸込口に対応して冷却器用送風機６が配設されている。機械室１３内には、冷却器１２と共に冷凍サイクルを構成する圧縮機１４と、凝縮器１５及び凝縮器用送風機１６が配設されている。この機械室１３の前面には、複数の空気吸込口１８が形成された前面パネル１９が開閉自在に設けられている。
【００１４】
係る構成により、圧縮機１４、冷却器用送風機６が運転されることにより、貯蔵室８内の冷気が冷気吸込口を介して冷却室１１内に吸い込まれ、該冷却室１１内にて冷却器１２により冷却される。その後、冷却された冷気は、冷気吐出口より貯蔵室８内に吐出される。貯蔵室８内に吐出された冷気が貯蔵室８内を循環することにより、貯蔵室８内は所定の冷蔵温度（例えば、＋５℃）に冷却される。
【００１５】
一方、貯蔵室８の後両側隅部には、図３に示す如く後棚支柱２１、２１が上下方向に立設されており、係る後棚支柱２１の前面には、丸穴状の係合孔２１Ａが上下に所定間隔を存して複数穿設されている。尚、図２では後棚支柱２１を省略している。また、貯蔵室８の前両側隅部、即ち断熱箱体３の内壁３Ａ前端部には、前棚支柱２２、２２が上下方向に立設されており、係る前棚支柱２２の側面２２Ａには、係合孔２２Ｂが上下に所定間隔を存して複数穿設され、この係合孔２２Ｂに棚受け部材２３が着脱自在に係合保持される。
【００１６】
ここで、前棚支柱２２が設けられる断熱箱体３の内壁３Ａ前端部について図４及び図５を参照して説明する。断熱箱体３の内壁３Ａの前端部は、扉７の背面から所定寸法だけ離間した位置から前端に渡って、外方に向かって退避した逃げ部３Ｂが形成されている。図中２５、２６は、断熱箱体３の発泡時に逃げ部３Ｂを形成するためのサッシュであり、２７は、断熱箱体３の前端から逃げ部３Ｂの後端に渡って構成される前ブレーカである。これらサッシュ２５、２６及び前ブレーカ２７は、断熱箱体３の発泡の際に内部に充填される断熱材によって断熱箱体３に固定されるものである。
【００１７】
この前ブレーカ２７は、前部に前記前棚支柱２２の前端を挿入保持する保持部２７Ａが上下に渡って形成されており、後部には、逃げ部３Ｂを構成する後壁と２枚の引き戸式扉７のうち後側に位置する扉７の背面との間に位置して、外方に略逃げた分だけ内方に突出し、更に、前方に折曲された収容部２７Ｂが上下に渡って形成されている。尚、この収容部２７Ｂの内方も空間とされている。
【００１８】
この収容部２７Ｂに対応する位置の断熱箱体３底面には、前記機械室１３内と連通する連通孔２８が形成されている。そして、本実施例では、向かって左側の収容部２７Ｂ内には、電気配線３０やサーモキャピ３１が収容されると共に、向かって右側の収容部２７Ｂ内には、冷却器１２と機械室１３内の冷却装置間に配管される冷媒配管２９が収容される。これら電気配線３０、サーモキャピ３１及び冷媒配管２９は、それぞれ連通孔２８を介して機械室１３に接続されている。
【００１９】
これにより、従来、断熱箱体の内部を通していた電気配線や、貯蔵室８内の取付部に防水処理やヒータの貼り付けにより保護されていたサーモキャピ及び冷却室１１内の冷却器１２と機械室１３内の冷却装置とを接続する冷媒配管２９を前棚支柱２２と断熱箱体３の内壁３Ａとの間に収容することができ、これら電気配線３０や冷媒配管２９を確実に保護することができるようになる。また、これら電気配線３０や冷媒配管２９等が逃げ部３Ｂと前棚支柱２２との間に位置する収容部２７Ｂに収容されることにより、貯蔵室８内の美観の向上を図ることができるようになる。
【００２０】
そして、この前ブレーカ２７の収容部２７Ｂの後面と逃げ部３Ｂを構成する後壁との間は、上述した前棚支柱２２に着脱自在に係合される棚受け部材２３の係合部を収容可能とする空間Ｓとされている。
【００２１】
一方、前棚支柱２２は、上述した如く上下に渡って形成されると共に、前記断熱箱体３に形成された逃げ部３Ｂの空間Ｓ及び収容部２７Ｂを覆うように形成されている。即ち、前棚支柱２２は、前端から扉７の背面まで延出した後、内方に折曲され、更に、前ブレーカ２７の収容部２７Ｂの側面に沿って後方に延出した構成される。前棚支柱２２の前端が、前ブレーカ２７の保持部２７Ａに保持されると共に、後端が、断熱箱体３の内壁３Ａの逃げ部３Ｂが終わった位置に当接しネジなどにより固定される。また、前棚支柱２２は、貯蔵室８内と、前記逃げ部３Ｂの後壁と前ブレーカ２７の収容部２７Ｂ後壁との間に形成された空間Ｓとが連通する位置に棚受け部材２３を進入可能とする係合孔２２Ｂが形成されている。
【００２２】
他方、棚３５は、複数のワイヤを溶接して矩形状に形成されたものであり、左右側端を構成する側辺部３５Ａは、比較的太いワイヤにて構成されており、前端は前記棚受け部材２３に載置可能とされており、後端は、前記後棚支柱２１に形成された係合孔２１Ａに挿脱可能とされている。また、前端には、載置した物品の落下を防止する前部材３５Ｂが設けられている。尚、図３において３６は、電気配線３０を断熱箱体３の内壁３Ａに固定するための電気配線押さえ具である。
【００２３】
以上の構成により、棚３５を貯蔵室８内に架設する際には、先ず、架設する高さに対応する前支柱２２に形成された係合孔２２Ｂに棚受け部材２３、２３を係合させる。その後、棚３５の側辺部３５Ａの後端を、後支柱２１の対応する高さの係合孔２１Ａに挿入し、側辺部３５Ａの前端を棚受け部材２３上に載置する。これにより、棚３５を貯蔵室８内に架設することができる。
【００２４】
本実施例では、前棚支柱２２は、断熱箱体３の内壁３Ａの前端部に形成された逃げ部３Ｂを覆うように形成されているため、前棚支柱２２に棚受け部材２３を取り付けた際に、棚受け部材２３の係合側が前記空間Ｓに進入し、収容されるため、棚受け部材２３が内壁３Ａよりも内方に突出する不都合を回避することができる。
【００２５】
そのため、従来の如く棚支柱や棚支柱に取り付けられる棚受け部材が貯蔵室８内方に突出し、棚３５の収納間口が制限させる不都合を回避することができるようになり、貯蔵室８内に物品を有効に収容することができるようになる。これにより、物品の収納効率が向上し、また、物品の納出作業性の向上を図ることができるようになる。特に、低温ショーケース１が、商品の陳列を目的とするものである場合には、商品の陳列効果の向上を図ることができるようになる。
【００２６】
尚、従来の場合に比して断熱箱体３の開口縁付近の断熱材の厚みが薄くなるが、本発明によれば、前棚支柱２２と逃げ部３Ｂとの間には、機械室１３内と連通した収容部２７Ｂ（空間）が形成されていることから、機械室１３内の排熱を当該収容部２７Ｂ内に供給することが可能となり、前棚支柱２２の結露の発生を積極的に抑制することができるようになる。
【００２７】
また、本実施例では、前棚支柱２２の前部と断熱箱体３の逃げ部３Ｂの前端部とは、図４及び図５に示す如く格別に空間を設けていないが、これ以外にも他の実施例として図６、図７に示す如く逃げ部３Ｂの前端部と前棚支柱２２の前部との間に、前記収容部２７Ｂと連通する空間Ｉを形成し、更に、扉７の前方に位置して前棚支柱２２の前端部に空気排出口３８を上下に渡って複数形成しても良いものとする。尚、図２にも図示している。
【００２８】
これにより、空間Ｉが扉７外面側と連通するため、機械室１３内の排熱を収容部２７Ｂ及び空間Ｉを介して扉７外面側に供給することが可能となり、前棚支柱２２及び扉７外面側の結露の発生を積極的に抑制することができるようになる。
【００２９】
【発明の効果】
以上詳述した如く本発明によれば、前面に開口する断熱箱体内に貯蔵室を構成し、該貯蔵室内に複数段の棚を架設して成るものであって、貯蔵室の側面を構成する断熱箱体の内壁前端部に上下に渡って形成され、外方に逃げる逃げ部と、該逃げ部を覆うように内壁前端部に取り付けられ、棚を保持するための棚受け部材が係合する係合孔が上下に渡って複数形成された棚支柱とを備え、該棚支柱にて覆われた逃げ部内に、棚受け部材が進入可能な空間を構成したので、貯蔵室側に棚支柱を突出させることなく、棚受け部材を棚支柱の係合孔に係合させることができるようになる。
【００３０】
これにより、従来の如き各棚の両側に突出した棚支柱により棚の収納間口が制限させる不都合を回避することができるようになり、物品の収納効率の向上及び納出入作業性の向上を図ることができるようになる。特に、低温ショーケースが、商品の陳列を目的とするものである場合、商品の陳列効果の向上を図ることができるようになる。
【００３１】
請求項２の発明によれば、上記発明において、逃げ部と棚支柱との間に構成された空間に、電気配線、及び／又は、貯蔵室内を冷却するための冷却装置の冷媒配管を収容したので、電気配線及び冷媒配管を確実に保護することができるようになる。また、これら電気配線や冷媒配管等が逃げ部と棚支柱間との空間に収容されることにより、これらが貯蔵室内に剥き出しとなる不都合を回避することができ、貯蔵室内の美観の向上を図ることができるようになる。
【００３２】
請求項３の発明によれば、上記各発明において、貯蔵室下方の断熱箱体外に貯蔵室内を冷却するための冷却装置が設置された機械室を備え、該機械室と空間とを連通させたので、機械室内から排出される排熱を逃げ部と棚支柱間との空間に供給することが可能となり、棚支柱の結露の発生を抑制することができるようになる。
【００３３】
請求項４の発明によれば、上記各発明において、断熱箱体の前面開口には、貯蔵室の開口を開閉自在に閉塞する扉を備え、棚支柱の前部を扉外面側まで延在させると共に、空間を扉外面側に連通させたので、機械室内から排出される排熱を逃げ部と棚支柱間との空間を介して扉外面側に供給することが可能となり、棚支柱及び扉外面側の結露の発生を抑制することができるようになる。
【図面の簡単な説明】
【図１】本発明の冷蔵ショーケースの斜視図である。
【図２】冷蔵ショーケースの側断面図である。
【図３】冷蔵ショーケースの分解斜視図である。
【図４】冷蔵ショーケースの左部分拡大平断面図である。
【図５】冷蔵ショーケースの右部分拡大平断面図である。
【図６】他の実施例の冷蔵ショーケースの左部分拡大平断面図である。
【図７】他の実施例の冷蔵ショーケースの右部分拡大平断面図である。
【符号の説明】
１  冷蔵ショーケース
３  断熱箱体
３Ａ  内壁
７  ガラス扉
８  貯蔵室
１２  冷却器
１３  機械室
２１  後棚支柱
２１Ａ  係合孔
２２  前棚支柱
２２Ｂ  係合孔
２３  棚受け部材
２７  前ブレーカ
２７Ａ  保持部
２７Ｂ  収容部
２８  連通孔
２９  冷媒配管
３０  電気配線
３１  サーモキャピ
３５  棚
３８  空気排出口
Ｓ、Ｉ  空間
【図１】
2005024114.tif 000003
【図２】
2005024114.tif 000004
【図３】
2005024114.tif 000005
【図４】
2005024114.tif 000006
【図５】
2005024114.tif 000007
【図６】
2005024114.tif 000008
【図７】
2005024114.tif 000009